(57)【要約】【課題】垂直方向のシート統合装置において、紙経路内のシートのたるみおよび座屈を防止する。【解決手段】複数枚のシートを蓄積するスロット１１２であって、スロット１１２が第１のバッフル１２および第２のバッフル１４を有しており、第１のバッフル１２および第２のバッフル１４はシート経路１１５の概ね垂直な側面を形成しそれらの間の空間によってお互いに分離されている、スロット１１２と、第１および第２のバッフル１２，１４の少なくとも１つに連結され、バッフル１２，１４の少なくとも１つをバッフル１２，１４のうち他の１つに向かって、またはそれから離れる向きに移動し、それによってスロット１１２内でシートを統合するときにシート経路１１５の幅を調節するアクチュエータ１６と、複数枚のシートを合わせて固定する綴じ機構と、を備えることを特徴とする。【選択図】図２
2008222442.tif 000002
【特許請求の範囲】
【請求項１】
複数枚のシートを蓄積するスロットであって、前記スロットは第１のバッフルおよび第２のバッフルを有しており、前記第１のバッフルおよび前記第２のバッフルは前記スロットのシート経路の概ね垂直な側面を形成しそれらの間の空間によってお互いに分離されている、スロットと、
前記第１および第２のバッフルの少なくとも１つに連結され、前記バッフルの少なくとも１つを前記バッフルのうち他の１つに向かって、またはそれから離れる向きに移動し、それによって前記スロット内で前記シートを統合するときに前記シート経路の幅を調節するアクチュエータと、
前記複数枚のシートを合わせて固定する綴じ機構と、
を備えることを特徴とする垂直方向にシートを統合する装置。
【請求項２】
複数枚のシートを蓄積するスロットであって、前記スロットは第１のバッフルおよび第２のバッフルを有しており、前記第１のバッフルおよび前記第２のバッフルは前記スロットのシート経路の概ね垂直な側面を形成しそれらの間の空間によってお互いに分離されている、スロットと、
前記スロット内で前記シートを統合する間に前記スロット内の利用可能な空間の大きさを決定するための手段と、
前記第１および第２のバッフルの少なくとも１つに連結され、利用可能な空間の大きさに基づいて、前記バッフルの少なくとも１つを前記バッフルのうち他の１つに向かって、またはそれから離れる向きに移動し、それによって前記スロット内で前記シートを統合するときに前記シート経路の幅を調節するアクチュエータと、
前記複数枚のシートを合わせて固定する綴じ機構と、
を備えることを特徴とする垂直方向にシートを統合する装置。
【請求項３】
垂直方向に向いたシートを統合する方法であって、
第１のバッフルおよび第２のバッフルを有し、前記第１のバッフルおよび前記第２のバッフルがスロットのシート経路の概ね垂直な側面を形成しそれらの間の空間によってお互いに分離されているスロットの中に、複数枚のシートを蓄積することと、
前記第１および第２のバッフルの少なくとも１つを前記バッフルのうち他の１つに向かって、またはそれから離れる向きに移動することであって、それによって前記スロット内で前記シートを統合するときに前記シート経路の幅を調節することと、
前記複数のシートを合わせて固定することと、
を含むことを特徴とする方法。
【発明の詳細な説明】
【技術分野】
【０００１】
本開示は、垂直方向のシート統合装置および垂直方向にシートを統合する方法に関する。
【背景技術】
【０００２】
同一出願人による米国特許第６７９９７５９号が相互参照される。この特許は、例えば小冊子を作成するための、一束のシートを折り畳む装置を開示している。この装置はシートを蓄積するためのスロットを形成する手段を含んでいる。このスロットは２つの側壁と一つの床とを含んでいる。この装置はまた、蓄積したシートを側壁の一方に押し付けるように操作できる選択的に操作可能な接触部材と、シートがスロットへ入った後に接触部材を操作する手段とを含んでいる。接触部材を操作する手段は、シートがスロットに入る間は、接触部材を退避させる。この装置は、スロットに隣接して配置されたクリースロール、シートの束をクリースロールに向けて導くブレード、スロット内の一束のシートをステープル止めするために配置されたステープラ（ホッチキス）、および床板を移動させ、それによってスロット内に蓄積されたシートを移動させるエレベータをさらに含んでいる。エレベータと接触部材は、エレベータがシートの所定の部分をステープラとブレードの間の位置へ移動させるときに、接触部材が蓄積されたシートを一方の側壁に押し付けるように操作可能である。
【０００３】
統合装置およびシステムは、種々の画像形成装置および仕上げ装置内で使用されている。仕上げ装置の例は小冊子製造機である。小冊子製造機は通常、その折り目に沿ってステープル止めされた折り畳み小冊子を形成する装置である。オフィス向けのコピー機およびプリンタと共に小冊子製造機を設置することが、一般的になりつつある（以後、本明細書で使用する場合、「コピー機」は「プリンタ」の一種とみなす）。基本的な形では、小冊子製造機は、プリンタで作成可能な印刷用紙シートなどを蓄積するスロットを含んでいる。蓄積されたシートは、小冊子のページを形成し、ステープラ機構と補完する台座装置とが、スタックを所期の折り目ラインに沿って正確にステープル止めできるようにスタック内に配置される。折り目を付けられ、ステープル止めされたシートの束は、次いでブレードで押されて、クリースロールを完全に通過させられて、完成された小冊子の最終の主折り目が形成される。完成された小冊子は、クリースロールより下流にあるトレイに蓄積される。
【０００４】
【特許文献１】米国特許第６７９９７５９号明細書
【発明の開示】
【発明が解決しようとする課題】
【０００５】
現在の小冊子製造機システムは、最大の束の寸法の厚さを受け入れるように、固定幅の紙経路のスロットを用いている。固定幅の紙経路内でシートを垂直方向に統合するとき、より小さい寸法の束の場合（すなわち、紙経路に対して設計された最大シート枚数よりも少ない場合）には、紙経路内に余分な空間が生ずる。紙経路内の余分な空間によって、シートは経路内でたるみおよび座屈することが可能となる。たるみおよび座屈によって綴じ部材（ステープルなど）の配置が不完全となり、および／またはブレードによるブックレットの折り畳みが不完全になる可能性がある。すなわち、たるみおよび座屈が、綴じおよび／または畳む間に、シートの正しい中点の位置を変えることがある。そのため、束の位置合わせ（その束内の所定のシートの、その束内の他のシートに対する相対位置）の精度が低下する。さらに、たるみおよび座屈が、紙スロットを事実上閉鎖することもあり得るし、それによって後続のシートがスロットに入ることを防止または妨げ、紙詰まりまたは位置合わせミス（シートが動く方向の位置合わせ不良）を起こすこともあり得る。
【課題を解決するための手段】
【０００６】
本開示は、例えば、小冊子製造機に使用することが可能な、紙経路内のシートのたるみおよび座屈を防止して束の位置合わせを改良する、改良型の垂直方向の統合装置および方法に関する。例示の装置と方法は、シートをスロット内で統合するときに、紙経路幅を自動的に制御／調節して、束の寸法に応じて紙経路の幅を増減することにより、紙経路内でのシートのたるみおよび座屈を防止する。
【０００７】
例示の実施形態は、スロットが第１のバッフルおよび第２のバッフルを有しており、第１のバッフルおよび第２のバッフルがスロットのシート経路の概ね垂直な縦側面を形成しそれらの間の空間によってお互いに分離されている、複数枚のシートを蓄積するスロットを備える垂直方向のシート統合装置を実現する。さらに、第１および第２のバッフルの少なくとも１つに連結されたアクチュエータは、上記バッフルの少なくとも１つを上記バッフルのうち他の１つに向かって、またはそれから離れる向きに移動し、それによってスロット内でシートを統合するときにシート経路の幅を調節する。また、本装置は、複数枚のシートを合わせて固定する綴じ機構を含んでよい。
【０００８】
例示の実施形態において、本装置は、紙経路内でシートを統合するときに紙経路の幅を自動的に制御／調節することによって、紙経路内の余分な空間をなくすようにバッフルを移動することができる。その結果、紙経路内のシートのたるみおよび座屈が防止できる。さらに、例示の装置は、シートをスロット内で統合するときに、シートの束の寸法に応じて紙経路の幅を増加または減少させるように、紙経路の幅を制御／調節することができる。その結果、束の位置合わせが強化される。大まかに言うと、束を統合する操作を開始するときにバッフルはお互いに最も近接して配置されており、シートが紙経路内に蓄積するにつれてバッフルはお互いに離れるように動かされる。
【０００９】
例示の実施形態において、第１のバッフルは固定バッフル、第２のバッフルは可動バッフルであり、アクチュエータは可動バッフルに連結されそれを動かす。
【００１０】
例示の実施形態において、第２のアクチュエータはシート経路の上方部分に配置される。第２のアクチュエータは、可動バッフルの下方部分とは独立に可動バッフルの上方部分を動かし、それによって、シート経路の上方部分の幅を、シート経路の下方部分の幅とは異なる幅に調節する。この例示の実施形態では、シートを一方のバッフルに押し付けて統合を最適化することにより、束の位置合わせはさらに改善される。好ましい実施形態では、シート経路の上方部分は、下方部分の幅よりも広い幅に保持される。
【００１１】
例示の実施形態において、本装置は小冊子製造機であり、スロット内に蓄積された少なくとも一枚のシートを折り畳むためのブレードをさらに含む。
【００１２】
例示の実施形態において、持上げ機構はスロット内で移動可能であり、スロット内に蓄積されたシートの所定の部分を、折り畳むおよび／または綴じるための位置に移動させる。
【００１３】
綴じ機構はステープラを含んでよい。
【００１４】
アクチュエータはモータを含んでよい。
【００１５】
いくつかの例示の実施形態において、垂直方向のシート統合装置は電子写真装置に組み込まれてよい。
【００１６】
さらに別の例示の実施形態は、スロット内でシートを統合する間にスロット内の利用可能な空間の大きさを決定する手段をさらに含む、上述のような垂直方向のシート統合装置を実現することができる。アクチュエータは、決定された利用可能な空間の大きさに基づいて、上記バッフルの少なくとも１つを上記バッフルのうち他の１つに向かって、またはそれから離れる向きに移動し、それによってスロット内でシートを統合するときにシート経路の幅を調節する。
【００１７】
いくつかの例示の実施形態では、利用可能な空間の大きさを決定する手段として、例えば、光学センサなどの、センサを含んでよい。光学センサは、スロット内にシートが蓄積するとき、スロット内の利用可能な空間の大きさを検出できる。
【００１８】
さらに、シートを統合する方法は、第１のバッフルと第２のバッフルを有し、第１のバッフルおよび第２のバッフルがスロットのシート経路の概ね垂直な側面を形成しそれらの間の空間によってお互いに分離されているスロットの中に複数のシートを蓄積することと、第１および第２のバッフルの少なくとも１つを上記バッフルのうち他の１つに向かって、またはそれから離れる向きに移動することであって、それによって、スロット内でシートを統合するときにシート経路の幅を調節することと、複数のシートを合わせて固定することと、を含む。
【００１９】
この方法は、スロット内でシートを統合する間にシート経路の幅を監視することと、電子制御ユニットで受信される幅信号を生成することと、電子制御ユニットから上記バッフルの少なくとも１つのバッフルに連結されたアクチュエータへ制御信号を送信することと、幅信号に基づいてアクチュエータを介して上記バッフルの上記少なくとも１つを移動することと、をさらに含むことができる。
【００２０】
第１のバッフルは固定バッフルであってよく、第２のバッフルは可動バッフルであってよく、第２のバッフルは移動するステップで移動される。
【００２１】
この方法は、可動バッフルの上方部分を可動バッフルの下方部分とは独立に移動し、それによってシート経路の上方部分の幅をシート経路の下方部分の幅とは異なる幅（好ましくは、それよりも広い）に調節することと、をさらに含んでよい。
【００２２】
この方法は、スロット内に蓄積された少なくとも１枚のシートを折り畳むことをさらに含み得る。
【００２３】
固定するステップにはステープル止めすることを含んでよい。
【００２４】
本明細書で使用される「画像形成装置」または「プリンタ」という語は、特に異なる形で定義しない限り、種々のプリンタ、コピー機、ファックス機、フィニッシャモジュール、多機能機またはシステム、電子写真機またはその他の機器を広く包含する。
【００２５】
種々の例示的な実施形態を、以下の図面を参照して詳細に説明する。
【発明を実施するための最良の形態】
【００２６】
図１は、フィニッシャモジュール１００の簡略化した立面図である。フィニッシャモジュール１００は小冊子製造機１１０を含む。小冊子製造機１１０を有するフィニッシャモジュール１００は、オフィス向けのディジタルプリンタと共に使用することができる。プリンタ９９からの印刷されたシートは、入口ポート１０２に受け入れられる。フィニッシャモジュール１００は、その具体的設計に応じて、印刷シートに対して１つまたは複数のシート経路１０４および出力トレイ１０６を備えてよい。これらの経路とトレイは、綴じること、ホールパンチング、およびＣフォールディングまたはＺフォールディングなどの要求される異なる処置に対応してよい。フィニッシャモジュール１００内でシートに接触してそれを取り扱う種々のローラおよびその他の装置は、当技術で概ね知られている形で、典型的にマイクロプロセッサ（図示せず）を含む制御システムにより、フィニッシャモジュール１００、プリンタ９９、またはその他の箇所内で、種々のモータ、ソレノイド、およびその他の電気機械的デバイス（図示せず）によって駆動される。
【００２７】
小冊子製造機１１０はスロット１１２を備えている。スロット１１２は、プリンタ９９からのシート（４ページの画像を各シートがその上に有する印刷用紙シートなどで、後に折り畳まれて小冊子のページになる）を蓄積する。各シートは、後に完成される小冊子の折れ目に対応する中心線に沿って、綴じ機構１１４がシートを綴じることができるような高さで、スロット１１２内に保持される。綴じ機構１１４はステープラであってよい。綴じ機構１１４はまた、折り目に沿ってシートを合わせて、糸または針金で縫い合わせまたは括る縫製機、またはその他の装置であってよい。さらに、綴じ機構１１４は、シートをその折り目に沿って合わせて固定するために、接着剤塗布用具を備えてよい。
【００２８】
所定の寸法のシートを綴じ機構１１４に対して所望の高さに保持するために、スロット１１２の床に持上げ機構１１６が設けられている。持上げ機構１１６はスロット１１２の「床」を構成しており、したがって蓄積されているシートの縁は、それらを合わせて固定するまでは、持上げ機構１１６上に載置されている。持上げ機構１１６は、入ってくるシートの寸法に応じて、スロット１１２に沿った異なる位置に移動可能なように置かれており、それによりシートの後縁は当初はシート整列ロール組立体１１１に隣接するようになる。持上げ機構１１６は、所定のシートの寸法に対して３箇所の位置、すなわち、シートの後縁がシート整列ロール組立体１１１に隣接する第１の位置、シートの中点が綴じ機構１１４に隣接する第２の位置、および次に説明する第３の位置の間で移動可能な（図示されていないが、典型的にモータまたはソレノイドを含む手段で）、エレベータとして作用してよい。
【００２９】
印刷されたシートがプリンタ９９から出力されると、持上げ機構１１６は、出力シートの後縁（それはスロット１１２の上端にあり得る）がシート整列ロール組立体１１１に配置されるように位置決めされる。所望の小冊子を形成するために必要な全てのシートがスロット１１２内に蓄積されると、エレベータ１１６は、その第１の位置から、シートの中点が綴じ機構１１４に隣接する第２の位置に動かされる。綴じ機構１１４は１つ以上のステープルを、例えば、後に小冊子が折り畳まれるシートの中点に沿って配置するように、作動される。
【００３０】
ステープル止めした後、持上げ機構１１６はその第２の位置から第３の位置へ動かされ、そこでシートの中点はブレード１１８およびクリースロール１２０によって形成されるニップに隣接される。ブレード１１８およびクリースロール１２０の動作によって、シートに最終の折り畳みと鋭い折り目が形成され、完成品の小冊子となる。ブレード１１８は、シートの束の綴じられた中点に沿ってシートの束に接触して、シートの束をクリースロール１２０のニップに向けて折り曲げ、ニップはシート全体を引き込み鋭い折り目を形成する。折り目を付けられ綴じられたシートの束は、次にクリースロール１２０の回転によって引き込まれ、ニップを完全に通過して完成品の小冊子の最終の主折り目が形成される。完成品の小冊子は経路１２２に沿って送られトレイ１２４に集積される。
【００３１】
図２は、図１に示す小冊子製造機１１０と共に設置される、例示の垂直方向の統合装置１０の構成を示す詳細図である。しかし、装置１０は小冊子製造機への使用に限定されず、例えば、コピー機、電子写真装置、多機能機の環境の中で、シートを垂直方向に統合するその他の操作にも使用できる。
【００３２】
垂直方向の統合装置１０は、スロット１１２、アクチュエータ１６を含んでおり、さらに図１に示す綴じ機構１１４を含んでもよい。スロット１１２は、第１のバッフル１２および第２のバッフル１４を含んでいる。第１のバッフル１２および第２のバッフル１４は、スロット１１２のシート経路１１５の概ね垂直な側面を形成する。第１のバッフル１２および第２のバッフル１４は、それらの間の空間によってお互いに分離されている。図示された実施形態において、第１のバッフル１２は固定バッフルであり、第２のバッフル１４は可動バッフルである。アクチュエータ１６は可動バッフル１４に連結され、それを動かす。代替の実施形態では、第２のバッフル１４が固定で第１のバッフル１２が可動であってよく、あるいは両バッフル１２，１４とも可動であってよい。このように、装置１０は２つの可動バッフル、または１つの可動バッフルを備えてよい。
【００３３】
アクチュエータ１６は、可動バッフル１４を動かすことができる任意の装置であってよい。例えば、アクチュエータはモータを含んでよい。モータは、ラックおよびピニオンを有する設計のステッパモータでよい。代替の実施形態では、アクチュエータ１６はソレノイドを含んでよい。アクチュエータ１６は、スロット１１２内でシートを統合する間シート経路１１５の幅を監視する監視装置１８と関連付けられてよい。監視装置１８は、例えば、スロット１１２内で検出されたシート表面と可動バッフル１４との間の空間的な違いに基づいて、信号（「幅信号」）を発生するように作動する光学検出器であってよい。監視装置１８は、センサ、例えば、遮断器式、反射式またはアクチュエータ式のセンサを備えてもよい。代替として、監視装置１８は、リードスイッチまたは固体磁気近接センサなどの、近接センサを備えてもよい。これらのセンサは、磁石または遮蔽体によって駆動され、高信頼性および長期の作動寿命を可能にする。幅信号に基づいてアクチュエータ１６は、スロット１１２内で、可動バッフル１４を、統合するシートに向かって、またはそれから離れる向きに移動させる。例えば、幅信号がコントローラに供給され、次にそれがアクチュエータ１６を制御する。すなわち、もしスロット１１２内の統合するシートの表面と可動バッフル１４との間の空間が、紙経路１１５内でシートがたるみ、および／または座屈するような大きさである場合は、アクチュエータ１６は可動バッフル１４を、統合するシートに向けて動かす。一方、もしスロット１１２内の統合するシートの表面と可動バッフル１４との間の空間が、紙経路１１５内で増大する統合するシートの寸法（すなわち、束の寸法）に対応するには過小な大きさの場合は、アクチュエータ１６は可動バッフル１４を、統合するシートから離れる方向に動かす。大まかに言うと、可動バッフル１４は、一束の統合を開始するときの固定バッフル１２に最も近接した第１の位置から、スロット内でより多くのシートを統合するため、固定バッフル１２から徐々に遠ざかった後続の位置へ動かされる。例えば、図２の第１のバッフル１２と第２のバッフル１４の間の一点鎖線は、シートの統合を開始するときの可動バッフル１４の位置を示す。図２に示すように、可動バッフル１４はスロット１１２内でシートを統合している間、増大する束の寸法に適合するように、固定バッフル１２から離れる方向に動かされる。
【００３４】
第１のバッフル１２と第２のバッフル１４は、バッフル１２，１４をお互いに向かって、またはそれから離れる向きに移動することを可能にする任意の適切なガイドまたはトラック上に、またはそれらと共に配置されてよい。例えば、バッフル１２、１４は、装置１０の前フレームおよび後フレームに差し込まれたタブによって案内されてよい。
【００３５】
このような形で、装置１０のアクチュエータ１６は、紙経路１１５内でシートを統合するときに紙経路の幅を自動的に制御／調節することにより、可動バッフル１４を動かし、紙経路１１５内の余分な空間をなくす。その結果、紙経路１１５内でのシートのたるみおよび座屈が防止される。さらに、装置１０は、スロット１１２内でシートを統合するときに紙経路の幅を制御または調節して、シート束の寸法に応じて紙経路の幅を増大させる。その結果、束の位置合わせが強化される。
【００３６】
垂直方向の統合装置１０は、図１に示す小冊子製造機１１０などの小冊子製造機を含んでよい。それに応じて装置１０は、スロット１１２内に蓄積されたシートを折り曲げるために、図１のブレード１１８などのブレードを含んでよい。装置１０はさらに、図１の持上げ機構１１６などの持上げ機構を含んでよく、それはスロット１１２内で可動であり、スロット１１２内に蓄積されたシートの所定の部分を綴じる位置および折り曲げる位置へ動かすことができる。これらの位置は、それぞれ上述の第２および第３の位置に対応し得る。紙経路１１５の幅は可変であるから、装置１０は、非常に小さい寸法と同様に２５枚以上のシートの小冊子の寸法にも、たるみを生じないで適用できる。
【００３７】
図３は、図１に示す小冊子製造機１１０と共に設置される例示的な代替の垂直方向の統合装置１０’の作動を示す詳細図である。装置１０’は特別な指定のない限り、図２に関して例示し説明した垂直方向の統合装置１０の全ての特徴と代替部とを含み得る。
【００３８】
垂直方向の統合装置１０’はさらに第２のアクチュエータ２０を含む。第２のアクチュエータ２０は、シート経路１１５の上方部分に配置される。例示の実施形態において、アクチュエータ１６はシート経路１１５の下方部分に配置される。第２のアクチュエータ２０は、可動バッフル１４の下方部分とは独立に可動バッフル１４の上方部分を動かし、それによって、シート経路１１５の上方部分の幅を、シート経路１１５の下方部分の幅とは異なる幅に調節する。シート経路の上方部分は下方部分よりも広く保持することが好ましい。この例示の実施形態によって、シートはシート経路１１５に容易に入ることが可能となり、それによってスロット内でのシートの統合が最適化される。その結果、束の位置合わせがさらに改善される。
【００３９】
垂直方向の統合装置１０’は監視装置１８’も含む。監視装置１８’は図３に示すように、スロット１１２内の統合するシートの表面と可動バッフル１４との間の空間的または距離的な違いに基づいて、「幅信号」を発生するように作動する。監視装置１８’は検出対象物（この例では、スロット内のシートのスタック）までの距離を監視し、決定し、または検出する任意の装置またはシステムを含んでよい。例えば、監視装置１８’は光学センサであってよい。さらに代替の検知形態は、スロットに供給されたシートの枚数に基づいて（各シートの既知の厚みに基づいて）、バッフル間の距離を決定するアルゴリズムによってプログラムされたソフトウェアシステムを含んでよい。
【００４０】
生成された幅信号は、電子制御ユニット（コントローラ）３０へ送信され、そこで受信される。電子制御ユニット３０は、可動バッフル１４と連結されたアクチュエータ１６、２０の少なくとも１つに制御信号を送信する。制御信号を受信するアクチュエータ１６、２０の少なくとも１つは、可動バッフル１４を幅信号に基づく量だけスロット１１２内の統合するシートに向かって、またはそれから離れる向きに移動させ、それによって、スロット１１２内でシートを統合するときに、シート経路１１５の幅を調節する。
【００４１】
垂直方向の統合装置１０’は、小冊子製造機１１０も備えてよい。またそれに応じて装置１０’は、スロット１１２内に蓄積されたシートを折り曲げるブレード１１８と、スロット１１２内に蓄積されたシートの所定の部分を上述した第２の位置（綴じる）および第３の位置（折り畳む）へ移動する持上げ機構１１６とを、含んでよい。
【００４２】
例示の実施形態を説明してきたが、これらの実施形態は、例示するためのものであって、限定するためのものではないとみなすべきである。上述の種々の開示ならびにそれ以外の特徴および機能、またはそれらの代替物は、多くの他の異なるシステムまたは応用品と必要に応じて組み合わせてよいことが理解されよう。さらに、現時点ではまだ発見されていない、または想到されていない、それらの種々の代替、変更、変形、または改良を当業者が引き続いて行うことが可能であり、それらも本願に包含されることが意図される。
【図面の簡単な説明】
【００４３】
【図１】開示された垂直方向の統合装置が使用可能となる小冊子製造機を含むフィニッシャモジュールの簡略化した立面図である。
【図２】例示的な垂直方向の統合装置の詳細図である。
【図３】例示的な代替の垂直方向の統合装置の詳細図である。
【符号の説明】
【００４４】
１０  垂直方向の統合装置、１０’  代替の垂直方向の統合装置、１２  第１のバッフル、１４  第２のバッフル、１６  アクチュエータ、１８，１８’  監視装置、２０  第２のアクチュエータ、３０  電子制御ユニット（コントローラ）、９９  プリンタ、１００  フィニッシャモジュール、１０２  入口ポート、１０４  シート経路、１０６  出力トレイ、１１０  小冊子製造機、１１１  シート整列ロール組立体、１１２  スロット、１１４  綴じ機構、１１５  シート経路（紙経路）、１１６  持上げ機構、１１８  ブレード、１２０  クリースロール、１２２  経路、１２４  トレイ。
【図１】
2008222442.tif 000003
【図２】
2008222442.tif 000004
【図３】
2008222442.tif 000005